【手続補正書】
【提出日】平成19年11月1日(2007.11.1)
【手続補正１】
【補正対象書類名】特許請求の範囲
【補正対象項目名】請求項１
【補正方法】変更
【補正の内容】
【請求項１】
ＩＰ電話装置の端末情報としてＩＰ電話装置のＵＲＩとＩＰ電話装置に対応するＷＥＢサーバのＵＲＩを登録するデータベースを具備するＥＮＵＭサーバと、撮影装置の撮影した画像データを格納するＷＥＢサーバとにＩＰネットワークを介して接続されるＩＰ電話装置であって、
前記ＥＮＵＭサーバに対して相手先ＩＰ電話装置の端末情報の問い合わせを送信する送信手段と、
前記ＥＮＵＭサーバから前記相手先ＩＰ電話装置の端末情報を受信する受信手段と、
前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、
前記画像通信により前記ＷＥＢサーバから受信した撮影画像データを表示する表示手段と、
を具備することを特徴とするＩＰ電話装置。
【手続補正２】
【補正対象書類名】特許請求の範囲
【補正対象項目名】請求項３
【補正方法】変更
【補正の内容】
【請求項３】
ＩＰ電話装置と、ＩＰ電話装置の端末情報としてＩＰ電話装置のＵＲＩとＩＰ電話装置に対応するＷＥＢサーバのＵＲＩを登録するデータベースを具備するＥＮＵＭサーバと、撮影装置の撮影した画像データを格納するＷＥＢサーバとにＩＰネットワークを介して接続される情報処理装置であって、
前記ＩＰ電話装置に対して前記ＩＰ電話装置の相手先ＩＰ電話装置の電話番号を送信する電話番号送信手段と、
前記ＥＮＵＭサーバに対して前記相手先ＩＰ電話装置の端末情報の問い合わせを送信する問合せ送信手段と、
前記ＥＮＵＭサーバから前記相手先ＩＰ電話装置の端末情報を受信する受信手段と、
前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、
前記画像通信により前記ＷＥＢサーバから受信した画像データを表示する表示手段と、  を具備することを特徴とする情報処理装置。
【手続補正３】
【補正対象書類名】特許請求の範囲
【補正対象項目名】請求項５
【補正方法】変更
【補正の内容】
【請求項５】
ネットワークに接続されたＩＰ電話装置と、撮影装置の撮影する画像データを格納するＷＥＢサーバと、ＩＰ電話装置の端末情報としてＩＰ電話装置のＵＲＩとＩＰ電話装置に対応するＷＥＢサーバのＵＲＩを登録するデータベースを具備するＥＮＵＭサーバと、ＩＰ電話装置に関連付けられた情報処理装置と、を具備するＩＰ電話システムであって、
前記情報処理装置は、
前記ＩＰ電話装置に対して前記ＩＰ電話装置の相手先ＩＰ電話装置の電話番号を送信する送信手段と、
前記ＥＮＵＭサーバに対して前記相手先ＩＰ電話装置の端末情報の問い合わせを送信する送信手段と、
前記ＥＮＵＭサーバから前記相手先ＩＰ電話装置の端末情報を受信する受信手段と、
前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、
前記画像通信により前記ＷＥＢサーバから受信した画像データを表示する表示手段と、を具備し、
前記ＩＰ電話装置は、
前記情報処理装置から前記相手先ＩＰ電話装置の電話番号を受信する受信手段と、
前記受信手段により受信した電話番号に基づいて前記ＥＮＵＭサーバに前記相手先ＩＰ電話装置のＵＲＩを問い合わせて応答を受信し、前記相手先ＩＰ電話装置のＵＲＩをＤＮＳサーバに問い合わせてＩＰアドレスを受信する受信手段と、
前記受信したＩＰアドレスに基づいて前記相手先ＩＰ電話装置に発信し通信を行う通信手段と、を具備し、
前記ＥＮＵＭサーバは、
ＩＰ電話装置の端末情報としてＩＰ電話装置のＵＲＩとＩＰ電話装置に対応するＷＥＢサーバのＵＲＩを記憶する記憶手段と、
前記情報処理装置及び前記ＩＰ電話装置から前記相手先ＩＰ電話装置の端末情報の問い合わせを受信する受信手段と、
前記受信手段により前記相手先ＩＰ電話装置の端末情報の問い合わせを受信したとき、前記記憶手段から該当する端末情報を検索する検索手段と、
前記検索手段により検索した端末情報を前記情報処理装置及び前記ＩＰ電話装置に送信する送信手段と、
を具備することを特徴とするＩＰ電話システム。
【手続補正４】
【補正対象書類名】明細書
【補正対象項目名】０００８
【補正方法】変更
【補正の内容】
【０００８】
本発明は、ＩＰ電話装置の端末情報としてＩＰ電話装置のＵＲＩとＩＰ電話装置に対応するＷＥＢサーバのＵＲＩを登録するデータベースを具備するＥＮＵＭサーバと、撮影装置の撮影した画像データを格納するＷＥＢサーバとにＩＰネットワークを介して接続されるＩＰ電話装置であって、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、前記画像通信により前記ＷＥＢサーバから受信した撮影画像データを表示する表示手段と、を具備するようにしたものである。
【手続補正５】
【補正対象書類名】明細書
【補正対象項目名】００１０
【補正方法】変更
【補正の内容】
【００１０】
本発明の第１の態様に係るＩＰ電話装置は、ＩＰ電話装置の端末情報としてＩＰ電話装置のＵＲＩとＩＰ電話装置に対応するＷＥＢサーバのＵＲＩを登録するデータベースを具備するＥＮＵＭサーバと、撮影装置の撮影した画像データを格納するＷＥＢサーバとにＩＰネットワークを介して接続されるＩＰ電話装置であって、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した前記相手先ＩＰ電話装置の端末情報を取得し、該端末情報のＷＥＢサーバのＵＲＩにより前記ＷＥＢサーバとの間で画像通信を実行する画像通信手段と、前記画像通信により前記ＷＥＢサーバから受信した撮影画像データを表示する表示手段と、を具備する構成を採る。
【手続補正６】
【補正対象書類名】明細書
【補正対象項目名】００１４
【補正方法】変更
【補正の内容】
【００１４】
本発明の第３の態様に係る情報処理装置はＩＰ電話装置と、ＩＰ電話装置の端末情報としてＩＰ電話装置のＵＲＩとＩＰ電話装置に対応するＷＥＢサーバのＵＲＩを登録するデータベースを具備するＥＮＵＭサーバと、撮影装置の撮影した画像データを格納するＷＥＢサーバとにＩＰネットワークを介して接続される情報処理装置であって、前記ＩＰ電話装置に対して前記ＩＰ電話装置の相手先ＩＰ電話装置の電話番号を送信する電話番号送信手段と、前記ＥＮＵＭサーバに対して前記相手先ＩＰ電話装置の端末情報の問い合わせを送信する問合せ送信手段と、前記ＥＮＵＭサーバから前記相手先ＩＰ電話装置の端末情報を受信する受信手段と、前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、前記画像通信により前記ＷＥＢサーバから受信した画像データを表示する表示手段と、を具備する構成を採る。
【手続補正７】
【補正対象書類名】明細書
【補正対象項目名】００１８
【補正方法】変更
【補正の内容】
【００１８】
本発明の第５の態様に係るＩＰ電話システムは、ネットワークに接続されたＩＰ電話装置と、撮影装置の撮影する画像データを格納するＷＥＢサーバと、ＩＰ電話装置の端末情報としてＩＰ電話装置のＵＲＩとＩＰ電話装置に対応するＷＥＢサーバのＵＲＩを登録するデータベースを具備するＥＮＵＭサーバと、ＩＰ電話装置に関連付けられた情報処理装置と、を具備するＩＰ電話システムであって、前記情報処理装置は、前記ＩＰ電話装置に対して前記ＩＰ電話装置の相手先ＩＰ電話装置の電話番号を送信する送信手段と、前記ＥＮＵＭサーバに対して相手先ＩＰ電話装置の端末情報の問い合わせを送信する送信手段と、前記ＥＮＵＭサーバから前記相手先ＩＰ電話装置の端末情報を受信する受信手段と、前記受信手段により受信した端末情報から前記相手先ＩＰ電話装置に対応づけられた前記ＷＥＢサーバのＵＲＩを取得して、前記ＷＥＢサーバとの間で画像通信を実行する画像通信手段と、前記画像通信により前記ＷＥＢサーバから受信した画像データを表示する表示手段と、を具備し、前記ＩＰ電話装置は、前記情報処理装置から前記相手先ＩＰ電話装置の電話番号を受信する受信手段と、前記受信手段により受信した電話番号に基づいて前記ＥＮＵＭサーバに前記相手先ＩＰ電話装置のＵＲＩを問い合わせて応答を受信し、前記相手先ＩＰ電話装置のＵＲＩをＤＮＳサーバに問い合わせてＩＰアドレスを受信する受信手段と、前記受信したＩＰアドレスに基づいて前記相手先ＩＰ電話装置に発信し通信を行う通信手段と、を具備し、前記ＥＮＵＭサーバは、ＩＰ電話装置の端末情報としてＩＰ電話装置のＵＲＩとＩＰ電話装置に対応するＷＥＢサーバのＵＲＩを記憶する記憶手段と、前記情報処理装置及び前記ＩＰ電話装置から前記相手先ＩＰ電話装置の端末情報の問い合わせを受信する受信手段と、前記受信手段により前記相手先ＩＰ電話装置の端末情報の問い合わせを受信したとき、前記記憶手段から該当する端末情報を検索する検索手段と、前記検索手段により検索した端末情報を前記情報処理装置及び前記ＩＰ電話装置に送信する送信手段と、を具備する構成を採る。